(57)【要約】【課題】カラオケ伴奏音楽を原曲キーで演奏しなくても、原曲キーで演奏した伴奏音楽とそれに合わせて歌ったような歌唱音声とを録音できるカラオケ録音装置を提供する。【解決手段】カラオケ伴奏音楽の録音データを再生する再生手段と、再生された伴奏音楽のキーを変更して音響出力する第１ピッチシフターと、マイクロホン入力された歌唱音声のキーを変更して出力する第２ピッチシフターと、再生手段の出力と第２ピッチシフターの出力とを混合して録音する録音手段と、第１ピッチシフターと第２ピッチシフターに相補的にキーのシフト量を設定する制御手段とを備えたカラオケ録音装置としている。【選択図】  図３
2005321441.tif 000002
【特許請求の範囲】
【請求項１】
カラオケ伴奏音楽の録音データを再生する再生手段と、
再生された伴奏音楽のキーを変更して音響出力する第１ピッチシフターと、
マイクロホン入力された歌唱音声のキーを変更して出力する第２ピッチシフターと、
再生手段の出力と第２ピッチシフターの出力とを混合して録音する録音手段と、
第１ピッチシフターと第２ピッチシフターに対して相補的なキーシフト量を設定する制御手段と
を備えたカラオケ録音装置。
【請求項２】
カラオケ伴奏音楽の電子楽譜データを標準キー値に従って演奏する第１演奏手段と、
第１演奏手段と同期して同じカラオケ伴奏音楽を異なるキー値に従って演奏する第２演奏手段と、
マイクロホン入力された歌唱音声のキーを変更して出力するピッチシフターと、
第１演奏手段の出力とピッチシフターの出力とを混合して録音する録音手段と、
第１演奏手段のキー値に対する第２演奏手段のキー値の差分をピッチシフターに設定する制御手段と、
を備えたカラオケ録音装置。
【発明の詳細な説明】
【技術分野】
【０００１】
この発明はカラオケ録音装置に関し、具体的には、カラオケ楽曲のキーを変更して演奏したとしても、カラオケ楽曲の元歌と同じキーで伴奏音楽を録音できるカラオケ録音装置に関する。
【背景技術】
【０００２】
カラオケ録音装置は、カラオケ装置にＣＤレコーダなどを組み合わせて構成したもので、カラオケ伴奏音楽と利用者の歌声とを混合して録音し、ＣＤ−ＲＯＭなどにカラオケ歌唱録音作品として収録する。カラオケ装置には周知のキーコントロール機能があるので、利用者は、希望のカラオケ楽曲を自分が歌いやすいキーに変更して演奏させ、カラオケ歌唱録音作品を制作することができる。
【発明の開示】
【発明が解決しようとする課題】
【０００３】
キーを変更して制作したカラオケ歌唱録音作品は、同じ楽曲のオリジナル作品（プロ歌手が歌った作品）と比較試聴すればすぐに分かるように、キーが異なることで音楽作品としての情緒や品位が変質したものとなり、カラオケ歌唱録音作品の制作者（歌唱者）にとって満足できないことが多い。熱心なカラオケ愛好家は、オリジナル作品のキーを変えずに、高品質なカラオケ歌唱録音作品を自作することを望んでいる。
【課題を解決するための手段】
【０００４】
上記課題を解決するために本発明を創作した。本発明は、カラオケ伴奏音楽を原曲キーで演奏しなくても、原曲キーで演奏した伴奏音楽とそれに合わせて歌ったような歌唱音声とを録音できるカラオケ録音装置を提供することを目的としている。
【０００５】
本発明のカラオケ録音装置は、カラオケ伴奏音楽の録音データを再生する再生手段と、
再生された伴奏音楽のキーを変更して音響出力する第１ピッチシフターと、
マイクロホン入力された歌唱音声のキーを変更して出力する第２ピッチシフターと、
再生手段の出力と第２ピッチシフターの出力とを混合して録音する録音手段と、
第１ピッチシフターと第２ピッチシフターに相補的にキーのシフト量を設定する制御手段とを備えている。
【０００６】
また、カラオケ伴奏音楽の電子楽譜データを標準キー値に従って演奏する第１演奏手段と、
第１演奏手段と同期して同じカラオケ伴奏音楽を異なるキー値に従って演奏する第２演奏手段と、
マイクロホン入力された歌唱音声のキーを変更して出力するピッチシフターと、
第１演奏手段の出力とピッチシフターの出力とを混合して録音する録音手段と、
第１演奏手段のキー値に対すると第２演奏手段のキー値の差分をピッチシフターに設定する制御手段とを備えたカラオケ録音装置とすることもできる。
【発明の効果】
【０００７】
本発明のカラオケ録音装置によれば、カラオケ伴奏音楽を歌唱者が歌いやすいキーで演奏させて歌っても、オリジナル作品のキーで演奏した伴奏音楽とそれに合わせて歌ったような歌唱音声を録音できる。
【発明を実施するための最良の形態】
【０００８】
＝＝＝カラオケ録音装置の構成＝＝＝
本発明の実施例におけるカラオケ録音装置は、カラオケ装置の一つの機能として実現されている。図１は、そのカラオケ録音装置の機能を実装したカラオケ装置の機能ブロック構成を示している。カラオケ装置１は、周知の通信カラオケシステムの演奏端末とほぼ同様のハードウエア構成となっている。ハードディスク装置１２には多数のカラオケ楽曲について、ＭＩＤＩデータを主体とした伴奏音楽データと、歌詞画像の生成起源となる歌詞描出データとを含むカラオケデータが蓄積されている。また所定形式の長時間分の動画データと、動画データの処理シーケンス（処理すべき動画データの格納場所と処理順番など）を規定した台本データなども格納されている。
【０００９】
操作制御部１３は、リモコン送信器２５や操作パネル１４に入力された楽曲番号を受け付けると、その番号を中央制御部１１に転送する。中央制御部１１は、その楽曲番号を内部のＲＡＭに格納して演奏処理の待ち行列で管理する。そして、待ち行列から楽曲番号を順次取り出し、該当のカラオケデータをハードディスク装置１２より読み出し、このカラオケデータ中の伴奏音楽データをシンセサイザ部１９に転送して伴奏音楽を生成させる。
【００１０】
一方、歌詞描出データについては、伴奏音楽に同期して歌唱すべき箇所が色変わりする歌詞画像をビデオＲＡＭ１６に順次ビットマップ展開していく。また、台本データに基づいて所定の動画データを所定の順番で映像制御部１７に順次転送して歌詞画像の背景動画を復号させる。
【００１１】
ミキシングアンプ２０は伴奏音楽と、マイクロホン２２に入力された歌声音声とを混合・増幅してスピーカ２１より音響出力する。映像制御部１７は、復号した動画映像に歌詞画像をスーパーインポーズ処理してディスプレイ１８に表示出力する。
【００１２】
またカラオケ装置１は、周知のキーコントロール機能を備え、中央制御部１１は、利用者入力によりキー値が指定されると、そのキー値に従った音程だけＭＩＤＩデータのノート番号を変更し、この変更後のＭＩＤＩデータをシンセサイザ部１９に転送する。それによって、伴奏音楽のキーが変更されて音響出力される。
【００１３】
さらにカラオケ装置１は、マイクロホン２２に入力された歌唱音声の音高を変化させるためのピッチシフター２４を備えている。ピッチシフター２４は、マイクロホン２２より入力される音声信号をリアルタイムでサンプリングしてデジタル音声データに変換するとともに、その音声データから歌声ピッチ（周波数や階名など）を逐次抽出していく。そして、その歌声ピッチを周波数変換したデータを生成し、この周波数変換された音声データをアナログの音声信号に変換して出力する。
【００１４】
＝＝＝録音機能＝＝＝
カラオケ装置１には、カラオケ録音装置として機能する構成を備えている。本実施例のカラオケ録音装置は、伴奏音楽とそれに合わせて歌う歌唱者の歌声とを楽曲単位の録音ファイルにする録音機能を備えている。なお録音ファイルは、録音作品としてＣＤ−Ｒなどの媒体に転記されるなどカラオケ装置１外にある適宜な記憶資源に保存すればよい。音声信号処理部２３は、シンセサイザ部１９からリクエスト曲の伴奏音楽とマイクロホン２２に入力された歌唱音声との混合音響信号をサンプリングしてデジタル音声データにＡ／Ｄ変換する。そして、中央制御部１１から演奏開始のタイミング情報を受け取ると、デジタル音声データを中央制御部１１に転送していく。中央制御部１１は、内部のＲＡＭなどにそのデジタル音声データを格納していき、演奏が終了すると、音声データをＷＡＶＥファイルなど適宜な形式のデータファイルに作成する。
【００１５】
さらに、本実施例における録音機能では、伴奏音楽をオリジナル作品のキー（原曲キー）で演奏しなくても、原曲キーで演奏した伴奏音楽とそれに合わせて歌ったような歌唱音声とを録音することができる。具体的には、図２に示すように、シンセサイザ部１９は、２系統の音源１９ａ、１９ｂを内蔵し、スピーカ２１から音響出力させる伴奏音楽のキー（演奏キー）と、音声信号処理部２３に入力する伴奏音楽のキーとを独立に可変制御することができるようになっている。
【００１６】
ところで、カラオケ楽曲の中には、プロ歌手と一般カラオケ歌唱者との発生音域の違いを考慮し、カラオケデータ自体が利用者がキーを変更しなくても原曲キーとは異なるキーで演奏されるようにあらかじめ作成されているものがあり、このような楽曲については、伴奏音楽を原曲キーで演奏するための原曲キー値が該当楽曲に対応付けされてハードディスク装置１１に記憶されている。そして、中央制御部１１は、利用者入力により、リクエスト曲に対する録音指示を受けつけたならば、一方の音源１９ａを駆動して原曲と同じキーの録音用の伴奏音楽を生成する。例えば、その楽曲の原曲キー値がＡであれば、その値に基づいてノート番号を変更したＭＩＤＩデータで一方の音源１９ａを駆動する。また、利用者が指定したキー値に従って他方の音源１９ｂを駆動して音響出力用の伴奏音楽を生成する。また中央制御部１１は、ピッチシフター２４を制御し、歌唱音声のキーのシフト量を原曲キーに対する演奏キーの差分に設定する。すなわち、原曲キー値がＡで利用者が指定した演奏キー値がＢであれば、キー値Ａ−Ｂに該当する音高だけシフトさせる。それによって、歌唱音声のキーが原曲キーに一致し、原曲のキーに合わせて正しく歌う歌唱音声が録音される。それによって、音響出力される伴奏音楽は利用者が指定した歌いやすいキーで演奏され、録音される伴奏音楽については原曲のキーで演奏され、歌唱音声についてはマイクロホン２２入力されたものが音響出力されるとともに、原曲キーに合致するようにピッチシフター２４により音高変位された歌唱音声が録音される。したがって、歌いやすい演奏キーで歌唱することで上手に歌えるとともに、録音される伴奏音楽と歌唱音声は原曲キーで演奏されたものと、それに合わせて歌ったような歌唱音声となる。それによって、録音された音声を再生したときに、その録音された伴奏音楽と原曲とのキーの違いや、元歌歌手が歌う歌唱音声と変更された演奏キーに合わせて歌う歌唱音声との違いなどからくる違和感がなくなる。
【００１７】
＝＝＝再生型カラオケ装置用のカラオケ録音装置＝＝＝
カラオケ装置には、ＭＰ３形式など実際に演奏した伴奏音楽を録音したデータを再生するタイプもある。この再生タイプのカラオケ装置では、ＭＩＤＩデータのように、録音データに各音の音高が記述されているわけではないので、伴奏音楽のキーを変更するための構成が上記実施例の構成とは異なる。
【００１８】
図３に、再生タイプのカラオケ装置用のカラオケ録音装置において、伴奏音楽を歌いやすいキーで音響出力しつつ原曲キーで録音するための機能ブロック構成を示した。楽曲再生手段３０は、録音データをアナログの音声信号に再生して出力する。その再生信号は、２系統の経路に分岐されている。一方は原曲キーで演奏された伴奏音楽であり録音対象としてミキシング手段Ｂ３２ｂに入力される。他方はピッチシフターＡ３１ａに入力されて、利用者のキーに合わせたキーに調整された音声信号に変換されてミキシング手段Ａ３２ａに入力される。
【００１９】
また、マイクロホン３４に入力された歌唱音声信号も２系統の経路に分岐されている。一方はそのままミキシング手段Ａ３２ａに入力され、キー調整された伴奏音楽と混合されてスピーカ３３から音響出力される。マイクロホン３４からの他方の信号経路の途上には歌唱者のキーを原曲のキーに変換するピッチシフターＢ３１ｂがある。ピッチシフターＢ３１ｂで変換された歌唱音声信号は録音対象としてミキシング手段Ｂ３２ｂに入力される。ミキシング手段Ｂ３２ｂは原曲キーで演奏された伴奏音楽と原曲キーに変換された歌唱音声とを混合する。その混合音声信号については、例えばＣＤ−Ｒレコーダなどの録音装置に入力したり、上記実施例における音声信号処理部などの録音ファイルを作成するための処理手段を介して適宜な記憶資源に記憶したりして録音すればよい。
【００２０】
＝＝＝伴奏音楽の音響出力について＝＝＝
本発明のカラオケ録音装置は、マイクロホン入力された歌唱音声と伴奏音楽とを混合してスピーカから音響出力する必要はない。例えば、伴奏音楽をヘッドホンに音響出力し、歌唱者はそのヘッドホンからの伴奏音楽を聴きながら歌唱してもよい。すなわち、伴奏音楽と歌唱音声とを個別の音響出力系統から出力するようにしてもよい。もちろん、録音を目的とするならば、歌唱音声は必ずしも音響出力する必要はない。
【図面の簡単な説明】
【００２１】
【図１】本発明の実施例におけるカラオケ装置の機能ブロック図である。
【図２】上記カラオケ装置における録音機能に関わる要部構成図である。
【図３】本発明のその他の実施例におけるカラオケ装置の録音機能に関わる要部構成図である。
【符号の説明】
【００２２】
１  カラオケ装置
１１  中央制御部
１２  ハードディスク装置
１９  シンセサイザ
２０  ミキシングアンプ
２３  音声信号処理部
２４、３１ａ、３１ｂ  ピッチシフター
３０  楽曲再生手段
３２ａ、３２ｂ  ミキシング手段 
【図１】
2005321441.tif 000003
【図２】
2005321441.tif 000004
【図３】
2005321441.tif 000005